(57)【要約】【課題】イベント毎に記録される静止画もしくは動画において、装置上で保有する時間等の付加情報に加えて、それ以外の例えばイベント或いは撮影対象に関する情報付加は容易ではない。【解決手段】撮像画像をメディアに記録する撮像記録装置において、２次元コード復号回路６は撮像された画像から２次元コードに復号し、メモリ７は収録されている情報を保持する。制御回路８はその情報をメディア５０への記録やモニターへの表示のために画像加工や付帯データの付加を施し出力するようにする。こうして撮像画像に対して撮影対象に関する情報を容易に付加できることとなる。【選択図】図１
2005286527.tif 000002
【特許請求の範囲】
【請求項１】
画像を取り込む撮像手段と、
前記撮像手段で取り込んだ画像を記録媒体へ記録再生する記録再生手段と、
画像及び文字情報を表示できる表示手段と、
前記記録再生手段で記録された画像より２次元コードを復号する２次元コード復号手段と、
前記２次元コード復号手段で復号されたデータに対応した情報を前記表示手段へ表示するよう制御する制御手段と、
を具備することを特徴とする撮像記録装置。
【請求項２】
制御手段は、復号された２次元コードのデータを判別し、使用可能なテキストデータ或いは画像データをそのまま表示手段へ出力することを特徴とする請求項１記載の撮像記録装置。
【請求項３】
制御手段は、復号された２次元コードのデータのうち使用可能なデータを蓄積しておく記憶手段を有し、録再画像に対して記憶手段で保持している情報を用いて画像合成処理を施すよう制御することを特徴とする請求項１記載の撮像記録装置。
【請求項４】
制御手段は、復号された２次元コードのデータのうち使用可能なデータを蓄積しておく記憶手段を有し、記録画像に対して記憶手段で保持している情報を画像上以外の付帯データとして記録制御することを特徴とする請求項１記載の撮像記録装置。
【請求項５】
画像を取り込む撮像手段と、
前記撮像手段で取り込んだ画像を第１の記録媒体に対して記録再生する第１の記録再生手段と、
前記撮像手段で取り込んだ画像を第２の記録媒体に対して記録再生する第２の記録再生手段と、
画像及び文字情報を表示できる表示手段と、
前記第１及び第２の記録再生手段のうちいずれかで記録された画像より２次元コードを復号する２次元コード復号手段と、
前記２次元コード復号手段で復号されたデータを情報として表示出力或いはもう一方の記録再生手段へ出力するよう制御を行う制御手段と、
を具備することを特徴とする撮像記録装置。
【請求項６】
第１の記録媒体は主に静止画記録用に用意され、第２の記録媒体は主に動画記録用に用意されていることを特徴とする請求項５記載の撮像記録装置。
【請求項７】
制御手段は、いずれかの記録媒体に記録されている２次元コードから復号されたデータを判別し、使用可能なテキストデータ或いは画像データをそのまま表示手段へ出力することを特徴とする請求項５記載の撮像記録装置。
【請求項８】
制御手段は、いずれかの記録媒体に記録されている２次元コードから復号されたデータを判別し、使用可能なテキストデータ或いは画像データをもう一方の記録媒体へそのまま出力する或いは録再される画像へと挿入表示することを特徴とする請求項５記載の撮像記録装置。
【請求項９】
制御手段は、いずれかの記録媒体に記録されている２次元コードから復号されたデータを判別し、使用可能なテキストデータ或いは画像データを蓄積しておく記憶手段を有し、一方の記録媒体の録再画像に対して記憶手段で保持している情報を用いて画像合成処理を施すよう制御することを特徴とする請求項５記載の撮像記録装置。
【請求項１０】
制御手段は、いずれかの記録媒体に記録されている２次元コードから復号されたデータを判別し、使用可能なテキストデータ或いは画像データを蓄積しておく記憶手段を有し、双方の記録媒体の録再画像に対して記憶手段で保持している情報を画像上以外の付帯データとして記録するよう制御することを特徴とする請求項５記載の撮像記録装置。
【請求項１１】
２次元コード復号手段は、収録情報が複数の２次元コードで構成される場合各々の復号データから情報を連結しデータ復元を行い、且つ複数の画像に記録されている場合は自動的に前後の画像から２次元コードの復号を行うよう制御することを特徴とする請求項１、５記載の撮像記録装置。
【請求項１２】
２次元コード復号手段は、パスワードを必要とする２次元コードを復号する場合はパスワードの入力手段を備えて直接パスワードの入力を促す或いはパスワードを有する２次元コードの復号データをパスワードとして登録することを特徴とする請求項１、５記載の撮像記録装置。
【請求項１３】
２次元コードは、複数の方形セルが所定の配列規則に従って２次元配置され、セルは特定のパタンで配置された機能パタンを含む機能パタン領域と、セルが表現されるべきデータに応じたパタンで配置されたコードワード領域とを有する例えばＱＲコード等の２次元コードであって、コードワード領域にはコードの用途が明記され、加えてテキスト情報あるいは画像情報を有する２次元コードを用いることを特徴とする請求項１、５記載の撮像記録装置。
【請求項１４】
２次元コードは、観光案内看板、パンフレットや出版物等に直接印刷されている、或いは印刷されているものが貼付されることにより提供される２次元コードを用いることを特徴とする請求項１、５記載の撮像記録装置。
【請求項１５】
２次元コードは、携帯通信端末、店舗設置情報端末或いはインターネットなどのネット配信画面より提供される２次元コードを用いることを特徴とする請求項１、５記載の撮像記録装置。
【発明の詳細な説明】
【技術分野】
【０００１】
本発明は、例えばＱＲコード等の２次元コード読み取り機能を有する撮像記録装置に関するものである。
【背景技術】
【０００２】
スチルカメラやビデオカメラにおける撮影対象に関する情報付加という事では以下のような技術の提供が既に行われている。
【０００３】
（１）スチルカメラやビデオカメラにおいて、従来から記録される画像には付加情報として記録年月日とその時刻の情報が付加されている。近年スチルカメラもビデオカメラもディジタル化され従来からの日付と時刻の情報も画像上の挿入表示ではなく画像以外の付帯データとして記録されるようになり、加えて撮影機種名、画像サイズ、画像品質等の情報、或いは撮影時の絞り値、ズーム値等のカメラ設定値情報等を付加することも可能となっている。
【０００４】
（２）ビデオカメラの場合、画像タイトルとして装置内に予めプリセットされているテキストタイトルを選択し画像合成するであるとか、使用者自身で文字選択によりタイトル作成を行って画像合成する等のタイトル挿入方法も提供されている。
【０００５】
（３）また、動画記録を主目的とする磁気テープ或いはＤＶＤ等の主記録媒体と、主に静止画記録を目的とする半導体メモリ等の副記録媒体とを持ち合わせるようなビデオカメラも近年一般化しており、副記録媒体としてのカードに予めフレーム枠などの主画像に合成表示することで映像効果を演出する合成画像を保有させ、使用者が適宜画像合成させることで画像演出を図るような機能も提供されている。
【０００６】
（４）さらに、撮影対象に関係する情報付加と言う点では、上記合成画像をパーソナルコンピュータ等で自作して用いることも可能である。また、撮影画像の輝度レベル或いは色度レベルに対して所定レベルをスレッシュとして設定し、スレッシュに対して撮影画像のレベルがどちらにあるか判別し、いずれかを所定の輝度及び色度で表示しもう一方を透過させるようにして、例えばその画像を記憶させておき現時点の画像に合成させるなどして画像演出を図るような機能も提供されている。
【０００７】
上記のように、従来には撮像される画像に対して撮影対象に関する情報を付加する機能の提供がなされている。
【特許文献１】特開平０６−１６５００８号公報
【特許文献２】特開２００２−２０４４２２号公報
【非特許文献１】ディジタルスチルカメラ用画像ファイルフォーマット規格Ｅｘｉｆ  ２．２
【非特許文献２】ＨＤディジタル協議会  民生用ディジタルＶＣＲ規格
【発明の開示】
【発明が解決しようとする課題】
【０００８】
しかしながら、上記の従来のものでは以下の問題が発生し得る。
【０００９】
（１）日付、時刻、カメラ設定等の情報は撮像記録装置上で保有している情報であって、撮影した場所或いはどのようなイベントかなどの情報は撮影される画像に映りこんでいなければ撮影対象に関する情報は装置側からは付与することはできない。
【００１０】
（２）撮像記録装置上で保有しているプリセットタイトル及びプリセット合成画像の挿入に関しては、あくまでもプリセットであり、種類も限られるので特定のイベントでしか使用できず、しかも一般的なイベント用途であるため抽象的な表現になってしまい撮影対象に関する具体的情報は装置側からは付与することはできない。
【００１１】
（３）また、タイトルの入力設定、或いは合成画像の自作については確かに撮影対象に即した情報を与える事は出来るが、事前の準備が必要であり、都度準備するのも容易ではない。
【００１２】
（４）さらに、撮影画像よりタイトル或いは合成画像作成についても確かに撮影対象に即した情報を与える事は出来るが、作成に適した画像素材が必要となり、しかもタイトル或いは合成画像のみでは画像演出は行えるが多くの情報は付与することはできない。
【００１３】
本発明は、上記従来の（１）、（２）、（３）、（４）に示す問題点を解決するもので、多くの情報を収録可能な２次元コードを用いて、より撮影対象に関する情報を容易に入手でき、且つ記録画像に付加できる撮像記録装置及び２次元コード提供方法を実現する事を目的とする。
【課題を解決するための手段】
【００１４】
本願の請求項１の発明は、画像を取り込む撮像手段と、記録媒体への記録再生手段と、画像及び文字情報を表示できる表示手段と、前記記録再生手段で記録された画像より２次元コードを復号する２次元コード復号手段と、復号されたデータを情報として前期表示手段へ表示する制御手段と、を具備することを特徴とする。
【００１５】
本願の請求項２の発明は、請求項１の撮像記録装置において、前記制御手段は、復号された２次元コードのデータを判別し、使用可能なテキストデータ或いは画像データをそのまま表示手段へ出力することを特徴とする。
【００１６】
本願の請求項３の発明は、請求項１の撮像記録装置において、前記制御手段は、復号された２次元コードのデータのうち使用可能なデータを蓄積しておく記憶手段を有し、録再画像に対して記憶手段で保持している情報を用いて画像合成処理を施すよう制御することを特徴とする。
【００１７】
本願の請求項４の発明は、請求項１の撮像記録装置において、前記制御手段は、復号された２次元コードのデータのうち使用可能なデータを蓄積しておく記憶手段を有し、記録画像に対して記憶手段で保持している情報を画像上以外の付帯データとして記録制御することを特徴とする。
【００１８】
本願の請求項５の発明は、画像を取り込む撮像手段と、第１の記録媒体への第１の記録再生手段と、第２の記録媒体への第２の記録再生手段と、画像及び文字情報を表示できる表示手段と、前記いずれかの記録再生手段で記録された画像より２次元コードを復号する２次元コード復号手段と、復号されたデータを情報として表示出力或いはもう一方の記録再生手段へ出力するよう制御を行う制御手段と、を具備することを特徴とする。
【００１９】
本願の請求項６の発明は、請求項５の撮像記録装置において、前記第１の記録媒体は主に静止画記録用に用意され、前記第２の記録媒体は主に動画記録用に用意されていることを特徴とする。
【００２０】
本願の請求項７の発明は、請求項５の撮像記録装置において、前記制御手段は、いずれかの記録媒体に記録されている２次元コードから復号されたデータを判別し、使用可能なテキストデータ或いは画像データをそのまま表示手段へ出力することを特徴とする。
【００２１】
本願の請求項８の発明は、請求項５の撮像記録装置において、前記制御手段は、いずれかの記録媒体に記録されている２次元コードから復号されたデータを判別し、使用可能なテキストデータ或いは画像データをもう一方の記録媒体へそのまま出力する或いは録再される画像へと挿入表示することを特徴とする。
本願の請求項９の発明は、請求項５の撮像記録装置において、前記制御手段は、いずれかの記録媒体に記録されている２次元コードから復号されたデータを判別し、使用可能なテキストデータ或いは画像データを蓄積しておく記憶手段を有し、一方の記録媒体の録再画像に対して記憶手段で保持している情報を用いて画像合成処理を施すよう制御することを特徴とする。
【００２２】
本願の請求項１０の発明は、請求項５の撮像記録装置において、前記制御手段は、いずれかの記録媒体に記録されている２次元コードから復号されたデータを判別し、使用可能なテキストデータ或いは画像データを蓄積しておく記憶手段を有し、双方の記録媒体の録再画像に対して記憶手段で保持している情報を画像上以外の付帯データとして記録するよう制御することを特徴とする。
【００２３】
本願の請求項１１の発明は、請求項１、５の撮像記録装置において、前記２次元コード復号手段は、収録情報が複数の２次元コードで構成される場合各々の復号データから情報を連結しデータ復元を行い、且つ複数の画像に記録されている場合は自動的に前後の画像から２次元コードの復号を行うよう制御することを特徴とする。
【００２４】
本願の請求項１２の発明は、請求項１、５の撮像記録装置において、前記２次元コード復号手段は、パスワードを必要とする２次元コードを復号する場合はパスワードの入力手段を備えて直接パスワードの入力を促す或いはパスワードを有する２次元コードの復号データをパスワードとして登録することを特徴とする。
【００２５】
本願の請求項１３の発明は、請求項１、５の撮像記録装置において、前記２次元コードは、複数の方形セルが所定の配列規則に従って２次元配置され、セルは特定のパタンで配置された機能パタンを含む機能パタン領域と、セルが表現されるべきデータに応じたパタンで配置されたコードワード領域とを有する例えばＱＲコード等の２次元コードであって、コードワード領域にコードの用途が明記され、加えてテキスト情報あるいは画像情報を有する２次元コードを用いることを特徴とする。
【００２６】
本願の請求項１４の発明は、請求項１、５の撮像記録装置において、前記２次元コードは、観光案内看板、パンフレットや出版物等に直接印刷されている、或いは印刷されているものが貼付されることにより提供される２次元コードを用いることを特徴とする。
【００２７】
本願の請求項１５の発明は、請求項１、５の撮像記録装置において、前記２次元コードは、携帯通信端末、店舗設置情報端末或いはインターネットなどのネット配信画面より提供される２次元コードを用いることを特徴とする。
【発明の効果】
【００２８】
以上のような手段を用いた本発明の撮像記録装置によれば、少ない面積で多くの情報を収録可能な２次元コードを用いて、撮像された２次元コードから収録されているテキスト情報或いは画像情報を抽出し、録再画像へのタイトル挿入や画像合成することによって、撮影される画像に対してイベントや被写体などの撮影対象に関する情報を容易に付加出来ることとなる。
【００２９】
また、撮影される画像上に加工せず画像以外の付帯データとして記録することにより、後々の編集作業においてもイベント情報や被写体情報を確認できる他、加工前の画像を使用することが可能であり、パンフレットに書かれているような情報も記録できるため、画像は電子ファイリングできるがパンフレットは紙のまま保存しなければならないといった矛盾点を解消できる。
【００３０】
更に提供される２次元コードは撮影機会の多い、例えば観光地などで入手できるようにすれば本機能を有効に活用できることから、看板、パンフレットや情報誌などから手軽に直接入手できるようにする他、画面表示から入手する間接入手方法として、携帯電話、個人情報端末、コンビニ情報端末やインターネットなどの表示画面から入手できるようにすることによって利用の範囲を拡大できることとなる。
【発明を実施するための最良の形態】
【００３１】
以下、本発明の各実施の形態における撮像記録装置について、図面を参照しながら説明する。
【００３２】
（実施の形態１）
図１は本発明の実施の形態１の形態における撮像記録装置の構成例を示すブロック図である。１は本発明で用いる２次元コードを示すものである。２はカメラで、ＣＣＤイメージセンサー等の撮像素子により、被写体から入光する画像を電気信号に変換するものである。３はカメラ信号処理回路で、カメラ２からの信号に対してノイズ除去処理を行った後、ガンマ補正、ニー補正処理等の光電変換に関係する信号処理を行い映像信号として出力するものである。なお、カメラ２とカメラ信号処理回路３とで撮像手段を構成している。４０は記録再生手段である録再処理回路で、記録メディアに対する記録再生処理をものである。５０はメディアで、画像記録を行う記録メディアであり、例えば半導体メモリカード、光ディスク、ハードディスク、磁気テープなどの不揮発性の記録メディアを表すものである。６は２次元コード復号回路で、画像から２次元コードが認識される場合において収録コードの復号を行い、必要情報を後述のメモリ７で保持させるものである。７はメモリで、保持している情報を後述の制御回路８の要求により適宜出力する一時的な揮発性メモリを表すものである。８は制御回路で、メモリ７に保持されている文字データや画像データなどを画像へ付加し、記録する場合は録再処理回路４０へ出力し、モニター表示に用いる場合は後述の表示装置９に出力するものである。９は表示手段である表示部で、装置本体に取り付けられたＥＶＦ、ＬＣＤ或いはテレビモニターなどの映像表示手段である。撮影者が被写体を撮像する場合、カメラ画をＥＶＦ又はＬＣＤでモニターする。ＥＶＦも小型の液晶パネルで構成されるが、ＬＣＤとはカメラ本体に開閉自在又は固定状態に取り付けられた中型の液晶バネルをいう。また、テレビモニターは一般家庭に在る通常のモニターを表す。これらの表示装置９では、記録メディア５０へ映像を記録する場合も、再生する場合のいずれにも表示することができるものである。
【００３３】
以上のように構成された本実施の形態の撮像記録装置について、以下その動作を説明する。
【００３４】
本構成において、２次元コード復号回路６とメモリ７を除く構成は、従来からの一般的スチルカメラ、ビデオカメラに代表されるスチルカメラ機能を有する撮像記録装置のブロック構成を示しており、カメラ撮像される画像は記録メディアへと記録再生を行い、その録再画像は表示装置へ表示可能と言った基本構成を表すものである。本実施の形態では従来構成に対して新たに２次元コード復号回路６とメモリ７を付加した構成としており、この２次元コード復号回路６は、録再処理回路４０からの画像について２次元コードの有無を判別し、２次元コードが認識される場合はコード復号を行い、本用途に使用可能な情報を選択してメモリ７へ格納する。もし、本用途以外の２次元コードであれば情報は廃棄するものとする。
【００３５】
本用途に利用可能な情報は、その撮影ポイントに関係する情報として地点名、施設名、緯度経度情報、観光説明文等のテキスト情報、或いは画像合成を目的とするフレーム枠、ワンポイント画像等の画像データを意図するものである。
【００３６】
制御回路８は、そのままテキストとして画像を記録する場合であるとか、タイトルやワンポイント画像などの画像合成を施して記録する場合には、適宜メモリ７に対して保持されている情報を要求し録再処理回路４０から受け取った画像に対して画像合成などの処理を施し、再度録再処理回路４０へと記録画像を出力し、メディア５０へ記録するようにする。もしくは、そのままモニターに表示したり、表示される画像に画像合成を施したりする場合は画像合成処理後の画像をモニター出力するようにする。このようにすれば、例えばコードに撮影地点名が収録されているとすれば、画像の片隅にその地点名をタイトルとして挿入するとか、撮影地点にちなんだワンポイント画像が収録されていれば、その画像を合成して記録することを可能にする。
【００３７】
または、記録するにしても画像そのものではなく、画像以外の付帯データとして記録するということも可能である。現在ディジタルスチルカメラ等の画像ファイル形式で一般化しているものにＥｘｉｆ（イグジフ）規格と言うものがある。これは日本電子工業振興協会（ＪＥＩＤＡ）によって標準化され、各社のディジタルカメラに採用されている規格であり、画像についての情報として撮影日時や画像タイトル或いはユーザーコメントなどの付加情報を記録できるほか、縮小画像（サムネイル）も記録することができる規格になっている。これらの付加情報として記録できる情報を２次元コードによって撮影地点で入手できれば、その復号データから、撮影地点名を画像タイトルとして、説明案内文などはユーザーコメントとして記録することも可能である。画像ファイルはパーソナルコンピュータ上に保存管理することも一般化しているなかで、画像自体には加工せず付帯データとして持たせることは有効である。
【００３８】
図２は本願発明で用いる２次元コードの説明図である。
【００３９】
近年、縦横両方向に情報を持つ２次元コードが普及しつつある。２次元コードは、白黒のセルを２次元的に配置したものであり、一方向にしか情報を持たないバーコードに比べて格段に大きな情報を表現することが可能である。    図２（ａ）は、２次元コードの一種であるＱＲコードのシンボルの一例を示す図であり、図２（ｂ）はその特徴を説明する説明図である。
【００４０】
図２（ａ）に示す如く、ＱＲコードのシンボルは正方形のセルを２次元的に正方形状に配置して構成されている。各セルは白または黒で表示され、セルが特定のパタンで配置された機能パタンを含む機能パタン領域と、セルが表現されるべきデータに応じたパタンで配置されたコードワード領域とを有する。コードワード領域はセルを所定の集合体として構成されモジュールと称される。機能パタン領域は、図２（ｂ）において位置検出パタン１１、１２、１３と、フォーマットパタン１４と、アライメントパタン１５と、タイミングパタン１６、セパレータ１７で構成される。
【００４１】
位置検出パタン１１、１２、１３は、シンボルの左上、右上、および左下の３つのコーナー部に配置されるものである。それぞれ大きさの異なる黒の正方形モジュールと、白の正方形モジュールと、黒の正方形モジュールを規則的に重ねた構成を有しており、中心部付近を横断した際に、黒、白、黒、白、黒の幅の比が「１：１：３：１：１」となるように構成されている。これはデコード処理においては、先ずこのような白黒の比率を用いて各位置検出パタンの位置を検出することで、画像データ内でのシンボルの位置および姿勢を認識する。
【００４２】
アライメントパタン１５は、それぞれ大きさの異なる黒の正方形モジュールと、白の正方形モジュールと、黒の正方形モジュールを規則的に重ねた構成を有しており、中心部付近を横断した際に、黒、白、黒、白、黒の幅の比が「１：１：１：１：１」となるように構成されている。復号処理においては、画像データ上のシンボルに歪みがある場合にその歪みを補正するのに用いられる。
【００４３】
タイミングパタン１６は隣り合う位置検出パタンの最も内側のモジュールを結ぶ直線上に、白のモジュールと黒のモジュールとが１つずつ交互に配置されることにより構成され、シンボル内のモジュール座標を決定するのに用いられる。
【００４４】
フォーマットパタン１４は、シンボルに使用されているエラー訂正レベルとマスキングの際のマスクパタンリファレンスに関する情報を表す領域であり、左上の位置検出パタン１２の下辺と右辺、右上の位置検出パタン１１の下辺、および左下の位置検出パタン１３の右辺に沿ってセパレータ領域１７を隔てて配置されている。セパレータ領域とは位置検出パタンを認識しやすいよう位置検出パタン周辺の白のモジュールで構成される領域である。尚、エラー訂正レベルは、復元率７〜３０％までの４つの訂正レベルを有しており、そのうちの何れかのレベルであるかの情報である。また、マスクパタンリファレンスはマスキング解除処理で用いられるマスクパタンの種類を表している。ＱＲコードを作成する際に、シンボル内のコードワード領域に位置検出パタンと同じ「１：１：３：１：１」のパタンが現れないよう、白黒のモジュールを適切に分散させるために、８種類のマスクパタンの何れかとのＸＯＲ演算を施すマスキング処理が行なわれる。マスキング解除処理とは、このようなマスキング処理の逆演算を行なうことにより、マスキングを解除する。その際に必要なマスクパタンデータテーブルを予め用意しておき、これらの中からマスクパタンリファレンスで指定されるデータテーブルを用いてマスキングを解除する。
【００４５】
このように構成されるＱＲコードは、最大で英数字４２９６文字、漢字１８１７文字をコード化可能で、位置検出パタンによって３６０°全方向からの読み取りを可能にし、最大３０％までのデータの欠損に対してデータを復元可能な省スペースで大容量のデータを提供できるものである。また、ＱＲコードのような２次元コードは正方形で表示されるため多くの情報を収録する場合はそのコード自体の面積が大きくなってしまうという欠点を持っているが、複数のＱＲコードに分割して内容を収録することも可能である。その場合、コード内には分割情報も有することとなる。さらに、ＱＲコード自体にはパスワード機能も有しており、６桁のパスワードを設定することで同じパスワードの登録された装置しか復号できないようにすることも可能である。
【００４６】
図３はこのＱＲコードを用いた本願の撮像記録装置での使用例を説明する説明図であり、（ａ）〜（ｃ）はそれぞれＱＲコードに収録されている撮影地点に関するテキスト情報或いは画像情報を用いた画像効果の一例を示す。図３（ａ）は撮影地点名或いは施設名などに関するタイトル情報を検出し、撮像される画像の片隅にタイトル３１としてタイトル合成するようにしたものである。図３（ｂ）は例えば撮影地点となる名所・旧跡などの説明案内文をそのまま２次元コードとして取り込み、後でモニター確認を可能にするものである。図３（ｃ）は例えば撮影地点に関連する固有の撮影地点名の入ったフレーム枠や、温泉マークなどのワンポイント画像等の情報を現地で入手し、その地点での撮影に合成記録できるようにするものである。
【００４７】
この中で画像及びタイトルの挿入位置或いは挿入可否などは使用者が任意に設定できるものとする。
【００４８】
（実施の形態２）
次に本発明の実施の形態２における撮像記録装置について説明する。
【００４９】
図４は本発明の実施の形態２の形態における撮像記録装置の構成例を示すブロック図である。図４は図１の構成に対して、録再処理回路４０を第１録再処理回路４１にし、メディア５０を第１メディア５１として、第２録再処理回路４２と第２メディア５２を付加したことを特徴とする。  現時点で静止画用途のメディアと動画用途のメディアと複数のメディアを持つ撮像記録装置が存在する。本実施の形態では第１メディア５１を主として静止画用途、第２メディア５２を主として動画用途を意図している。主としてと言う意味は、画質を考慮しなければ第１メディア５１にも動画記録が可能であり、第２メディア５２には静止画記録が可能であるからである。
【００５０】
第１録再処理回路４１は、カメラ信号処理回路３からの撮像画像を第１記録メディア５１に対する記録再生処理を行うものである。
【００５１】
メディア５１は、主に静止画像記録を行う記録メディアであり、例えば半導体メモリカード、光ディスク、ハードディスクなどの不揮発性の記録メディアを表すものである。
【００５２】
第２録再処理回路４２は、カメラ信号処理回路３からの撮像画像を第２記録メディア５２に対する記録再生処理を行うものである。
【００５３】
メディア５２は、主として動画記録を行う記録メディアであり、例えば半導体メモリカード、光ディスク、ハードディスク、磁気テープなどの不揮発性の記録メディアを表すものである。
【００５４】
２次元コード復号回路６は、実施の形態１と同様に、第１録再処理回路４１からの画像に含まれる２次元コードの有無を判別し、２次元コードが認識される場合は収録コードの復号を行った後、本用途に使用可能な情報を選択してメモリ７保持させるものである。本用途以外の２次元コードであれば情報は廃棄するものとする。
【００５５】
メモリ７は、保持している情報を後述の制御回路８の要求により適宜出力する一時的な揮発性メモリを表すものである。
【００５６】
制御回路８は、メモリ７に保持されている文字データや画像データなどを画像へ付加し、いずれかのメディアに記録する場合は第１録再処理回路４１或いは第２録再処理回路４２へ出力し、モニター表示に用いる場合は後述の表示装置９に出力するものである。いずれのメディアの場合も記録画像をＥｘｉｆファイルとして記録する場合は、収録情報から収録可能な情報を判別して、画像以外の付帯データとして記録するよう制御するようにする。
【００５７】
以上のように構成された本実施の形態について、以下図４における動作を説明する。
【００５８】
本構成は、一つの撮像部から動画と静止画をそれぞれ異なる記録メディアに記録し得る撮像記録装置を表すものであり、例えば第１記録メディア５１は半導体メモリカードで、第２記録メディア５２は磁気テープで構成されるものとする。撮影場所で見かけた２次元コードは静止画として第１メディア５１へ記録し、その画像から２次元コード復号回路６で２次元コードの復号を行ない使用可能なデータを判別行う。その中にタイトル情報や合成画像情報が収録されているメモリ７に保持しておき、制御回路８において適宜読み出してタイトル挿入あるいは画像合成を施して第１メディア５１及び第２メディア５２に記録できるようにする。また、案内説明文などはそのまま第１メディア５１に記録しておき、後で本装置のモニターやテレビモニターなどで再生視認できるものである。
【００５９】
また、第２記録メディア５２の磁気テープへの記録にＤＶフォーマットを用いる場合磁気テープ上に記録されるディジタル化された画像データに加えて、様々な付帯データとしても記録が可能である。現在磁気テープメディアを使った動画記録フォーマットとして普及しているＤＶフォーマットには画像および音声データに加えてシステムデータと呼ばれる付帯データの記録が細かく定義されている。例えば記録年月日時分、タイトル、頭出しＩＤや記録時のカメラ設定など多くの情報に加え、メーカーオプションとして設定できる記録内容も用意されている。これらの画像上以外にシステムデータとして２次元データの収録内容を記録しておけば、後日編集時にも利用可能なこととなる。
【００６０】
さらに、ＤＶカセットテープにはカセットテープ上にＭＩＣと呼ばれる半導体メモリを貼付したタイプの磁気テープも存在し、上記システムデータの規格にも記録内容について明記されている。このＭＩＣと呼ばれる半導体メモリは磁気テープに記録されているコンテンツ情報であり、記録開始・終了ポイント、記録毎の目次情報、プログラム再生情報などに加えオプションとして設定できる記録内容も用意されているので、この部分を用いて撮影地点のタイトルおよび説明案内文などを収録し、磁気テープ内に記録されているデータと同様に後日編集時にも利用可能なこととなる。ただし、ＭＩＣへの記録は磁気テープの記録とは時間的に異なるタイミングでの記録も可能であり、後で２次元コードに収録されていた内容を用いてＭＩＣ情報を編集できるなどより使い勝手がよいものとなる。
【００６１】
今回用いる２次元コードが複数のＱＲコードに分割記録されている場合は、分割されているＱＲコードの一つを再生復号することによって、収録内容の不足がわかるために使用者に対して他の２次元コードの再生を要求するか、自動的に前後の静止画の再生を行うよう制御することとする。
【００６２】
また、復号しようとするＱＲコードにパスワードが設定されている場合は、自動的に復号回路に設定されているパスワードと照合するか、使用者に対してパスワード入力を要求するよう制御することとする。さらに、パスワードを用いて用途を指定してもよい。例えば、撮像記録装置の２次元コード読み出し機能には予めパスワードすることによって、このパスワードで復号できる２次元コードが本願の撮像記録装置用のコードとなる。
【００６３】
この様に本願発明の撮像記録装置では提供される２次元コードより、撮影対象に関する情報を得るように構成するが、提供される２次元コードがその撮影場所に無ければ、本機能の活用することも出来ないので本用途の２次元コードの提供例を以下に示す。
【００６４】
図５は本装置に使用可能な２次元コードを直接提供する提供例を示す説明図である。本用途に使用可能な２次元コードは撮像記録装置で撮影が行われる機会の多い観光地や、施設などの撮影スポットで提供されるものとし、例えば図５（ａ）は観光地の案内看板などの片隅に提供するようにして、タイトルやそのポイントにちなむワンポイント画像などを収録するものとする。図５（ｂ）は観光地のパンフレットなどにも同様の内容を提供するようにする。また、図５（ｃ）は観光地の情報が掲載される情報誌等の出版物においても同様の内容で提供するようにしても良い。
【００６５】
図６は本装置に使用可能な２次元コードを間接提供する提供例を示す説明図である。本用途に使用可能な２次元コードは撮像部で撮影し、復号できれば使用できるため液晶表示画面やモニター画面で提供する事も可能である。例えば図６（ａ）はコンテンツ配信を行うサーバから携帯電話によって受け取り表示画面に提供するようにする。また、図６（ｂ）は同じくサーバより通信機能を有する個人用の携帯情報端末によって受け取り表示画面に提供されるようにするものである。次に図６（ｃ）はコンビニエンスストアなどの店舗に設置してある情報端末であり、同じくサーバより利用者の要求によって表示画面に提供するようにする。また図６（ｄ）はパーソナルコンピュータなどのインターネット環境より、同じくサーバからダウンロードすることによって利用者に提供するようにする。またこれ以外にも、ＣＤやＤＶＤ等のパッケージメディアや、各種通信などによって受け取った情報を何らかの表示画面によって提供されるようにしても良い。ただし、これらの間接提供方法は有償提供される場合もあることからパスワード設定によって、情報の保護も可能である。使用者は情報源から別ルートでパスワードを入手することで２次元コードを使用可能に出来るようにしても良い。
【産業上の利用可能性】
【００６６】
画像の撮像が可能で、且つ記録媒体へ記録が可能な装置であって２次元コードの解読機能を持たせることによって、安価に装置への情報付与や制御プログラムなどの付与を行う用途にも適用可能である。
【図面の簡単な説明】
【００６７】
【図１】本発明の実施の形態１による撮像記録装置の構成例を示すブロック図
【図２】各実施の形態で用いる２次元コードの模式図
【図３】各実施の形態において、２次元コードを用いた使用例の模式図
【図４】本発明の実施の形態２による撮像記録装置の構成例を示すブロック図
【図５】各実施の形態で用いる２次元コードの直接提供例を示す模式図
【図６】各実施の形態で用いる２次元コードの間接提供例を示す模式図
【符号の説明】
【００６８】
１    ２次元コード
２    カメラ
３    カメラ信号処理回
６    表示制御回路
７    映像表示装置
８    ２次元コード復号回路
１１，１２，１３    位置検出パタン
１４    フォーマットパタン
１５    アライメントパタン
１６    タイミングパタン
１７    セパレータ
４０    録再処理回路
４１    第１録再処理回路
４２    第２録再処理回路
５０    メディア
５１    第１メディア
５２    第２メディア
【図１】
2005286527.tif 000003
【図２】
2005286527.tif 000004
【図３】
2005286527.tif 000005
【図４】
2005286527.tif 000006
【図５】
2005286527.tif 000007
【図６】
2005286527.tif 000008